(57)【要約】【課題】スキー場で発生するコースアウトのような事故を防止できるようにする。【解決手段】スキー場のリフト乗口に設けられ、スキーヤーの所持する情報記録媒体（ＩＣカード）に記憶されているデータを読取る乗口読取手段と、前記スキー場のリフト降口に設けられ、スキーヤーの所持する情報記録媒体に記憶されているデータを読取る降口読取手段と、前記スキー場のリフト乗口で読取られたスキーヤーを特定する所定のデータがそのスキー場のリフト降口で所定時間以内に読取られないときに、そのスキーヤーに異常が発生したと判定する判定手段とからなる。【選択図】      図５
2004295714.tif 000002
【特許請求の範囲】
【請求項１】
スキー場のリフト乗口に設けられ、スキーヤーの所持する情報記録媒体に記憶されているデータを読取る乗口読取手段と、
前記スキー場のリフト降口に設けられ、スキーヤーの所持する情報記録媒体に記憶されているデータを読取る降口読取手段と、
前記スキー場のリフト乗口で読取られたスキーヤーを特定する所定のデータがそのスキー場のリフト降口で所定時間以内に読取られないときに、そのスキーヤーに異常が発生したと判定する判定手段と、
からなることを特徴とする危険監視システム。
【請求項２】
スキー場のリフト乗口に設けられ、スキーヤーの所持する情報記録媒体に記憶されているデータを読取る乗口読取手段と、
前記スキー場のリフト乗口で読取られたスキーヤーを特定する所定のデータが所定時間以内に再び読取られないときに、そのスキーヤーに異常が発生したと判定する判定手段と、
からなることを特徴とする危険監視システム。
【請求項３】
請求項１又は２に記載の危険監視システムにおいて、異常が発生したと判定されたときに、その旨を所定の場所又は所定の者に報知する報知手段を設けたことを特徴とする危険監視システム。
【請求項４】
請求項１〜３のいずれかに記載の危険監視システムにおいて、情報記録媒体は、非接触式ＩＣカードであることを特徴とする危険監視システム。
【発明の詳細な説明】
【０００１】
【発明の属する技術分野】
本発明は、スキーヤーの安全を監視できるようにした危険監視システムに係り、特に、非接触式ＩＣカードを利用したものに関する。
【０００２】
【従来の技術】
近年、スキー場では、ゲートシステムとしてリフト乗場に非接触式ＩＣカードを処理できる改札機を設けておき、スキーヤー（利用者）がその改札機のアンテナに非接触式ＩＣカードを軽くタッチして、又はそのアンテナにかざして（以下、タッチで説明する。）入場処理を行ってリフトを利用できるようになってきている。このように、リフトの利用を非接触式ＩＣカードで可能としたときは、係員が検札する必要がなくなり、また、リフトへの不正搭乗を効率よく防止することができる効果がある。
【０００３】
【発明が解決しようとする課題】
上述のようなスキー場のゲートシステムにおいては、非接触式ＩＣカードを利用することによりスキー場運営の合理化を図ることができるとともに、リフトへの不正搭乗を効率よく防止できるという特長を有している。しかし、スキー場では、スキーヤーがコースアウトするなどの事故が発生するので、このような事故を未然に防止できるようにすることが大きな課題であった。
【０００４】
そこで、本発明は、上記課題を解決するためになされたものであって、その目的は、上述のゲートシステムを利用してスキーヤーの事故を未然に防止できるようにした危険監視システムを提供することにある。
【０００５】
【課題を解決するための手段】
本発明に係る危険監視システムは、上記目的を達成するために、請求項１に記載の発明は、スキー場のリフト乗口に設けられ、スキーヤーの所持する情報記録媒体に記憶されているデータを読取る乗口読取手段と、前記スキー場のリフト降口に設けられ、スキーヤーの所持する情報記録媒体に記憶されているデータを読取る降口読取手段と、前記スキー場のリフト乗口で読取られたスキーヤーを特定する所定のデータがそのスキー場のリフト降口で所定時間以内に読取られないときに、そのスキーヤーに異常が発生したと判定する判定手段と、からなることを特徴としている。
本発明の請求項２に記載の危険監視システムは、スキー場のリフト乗口に設けられ、スキーヤーの所持する情報記録媒体に記憶されているデータを読取る乗口読取手段と、前記スキー場のリフト乗口で読取られたスキーヤーを特定する所定のデータが所定時間以内に再び読取られないときに、そのスキーヤーに異常が発生したと判定する判定手段と、からなることを特徴としている。
本発明の請求項３に記載の危険監視システムは、異常が発生したと判定されたときに、その旨を所定の場所又は所定の者に報知する報知手段を設けたことを特徴としている。
本発明の請求項４に記載の危険監視システムは、情報記録媒体は、非接触式ＩＣカードであることを特徴としている。
【０００６】
【発明の実施の形態】
以下、本発明の実施の形態を図面に基づいて説明する。図１は、一実施の形態に係る危険監視システムの概略構成図である。図１中、Ｌは、所定のスキー場に設置されているリフトであり、スキー場に設置されている周知のリフトと同様に構成されていて、スキーヤーをスキー場のコースの上方へ運ぶことができるように構成されている。
【０００７】
このリフトＬのリフト乗口には、改札機Ｇａが設けられていて、スキーヤーは、その改札機Ｇａを介してのみリフトＬに搭乗できるように構成されているとともに、そのリフトＬのリフト降口にも同様の改札機Ｇｂが設けられていて、リフトＬを降りたスキーヤーは、その改札機Ｇａを介してのみスキー場のコースへ出られるように構成されている。
【０００８】
図１中、１ａ，１ｂは、リフト乗口側及びリフト降口側にそれぞれ設けられたスピーカ、２ａ，２ｂは、リフト乗口側及びリフト降口側にそれぞれ設けられた案内表示板であり、スキーヤーや係員等の周囲の人々に所定の案内を行えるように構成されている。なお、これらスピーカ１ａ，１ｂ及び案内表示板２ａ，２ｂは、リフトＬのリフト乗口及びリフト降口だけでなく、スキー場の各所及びスキー場の周囲に複数設けるようにしてもよい。
【０００９】
図１中、Ｓは、リフトＬに搭乗しようとしているスキーヤー（単にスキーヤーというときは、リフトＬの設置されているスキー場を利用するスキーヤーを指している。）であり、このスキーヤーＳは、後述するＩＣカード発行機から発行される、本発明の情報記録媒体に相当する非接触式ＩＣカード（以下、「ＩＣカード」という。）Ｃを所持している。このＩＣカードＣは、スキーヤーの首に紐で吊下げられたり、あるいは、腕等にピン止めされて所持される。そして、このＩＣカードＣは、周知の無線通信機能を備えた非接触券と同様に、改札機Ｇａ，Ｇｂ側と交信するためのアンテナ１０ａを備えた無線送受信部１０と、所定の演算処理を行うためのＣＰＵ１１と、カードＩＤやスキーヤーの氏名等の所定のカードデータを記憶することのできるメモリ１２と、改札機Ｇａ，Ｇｂ側からの電力波を受信してＩＣカードＣの駆動電力を生成する電力生成回路１３とを有している。
【００１０】
図２は、上記一実施の形態に係る危険監視システムの機器構成を示すブロック図である。リフトＬのリフト乗口側及びリフト降口側の機器構成は、それぞれ同一であるので、リフト乗口側を用いて説明すると（リフト降口側の同一構成要素には符号「ｂ」が添えられている。）、スキーヤーの所持するＩＣカードＣと非接触（無線）でデータ授受を行うためのアンテナ２０′を有する無線送受信部２０ａと、スピーカ１ａを駆動制御する音声放送部２１ａと、案内表示板２ａを駆動制御する案内表示部２２ａと、スキーヤーの所持するＩＣカードＣに記憶されているカードデータを読取り、必要に応じて所定のデータをそのＩＣカードＣに記録する（書込む）ためのＩＣカードリーダライタ（Ｒ／Ｗ）２３ａと、これら各部をスキー場を管理している管理室側に接続するための結線装置２４ａとが設けられている。なお、上記無線送受信部２０ａ及びＩＣカードＲ／Ｗ２３ａは、改札機Ｇａ内に組込まれる。この改札機Ｇａ（図１参照）には、スキーヤーのリフトＬへの搭乗を許可するときに開かれるドア機構等が設けられるが、ここでは省略されている。
【００１１】
次に、管理室側に設けられている機器について説明する。この管理室側には、上述のリフト乗口側及びリフト降口側に設けられている各機器に接続するとともに、管理室側に設けられている各機器間を接続するための中央結線装置３０が設けられており、この中央結線装置３０には、後述の図３及び図４に示されるような所定のデータ内容を記憶することのできるメモリ（図示せず）を備えた、管理室側を統括的に制御することのできる、ＣＰＵを中心に形成された中央処理演算装置３１が接続されている。また、この中央結線装置３０には、スキーヤーにＩＣカードＣを貸与するために発行するときのそのスキーヤーの個人情報を入力するための個人情報登録装置３２と、所定のカードデータを記録してＩＣカードＣを１枚毎発行することのできるＩＣカード発行装置３３と、スキーヤーに携帯電話機（ＰＨＳを含む）等の携帯端末機を貸与するときのその携帯端末機のＩＤ（識別番号（呼出番号））を入力するための携帯端末登録装置３４とが接続されている。なお、この携帯端末機は、スキーヤーが自己の携帯電話機を所持している場合は、その携帯電話機を本発明に係る携帯端末機とすることができる。
【００１２】
上記個人情報登録装置３２及び携帯端末登録装置３４から入力された情報は、中央処理演算装置３１のメモリに個人情報登録データベース（以下、「ＤＢ１」という。）として形成される。図３の上部は、そのＤＢ１の内容であり、スキーヤーの氏名等の個人情報等により形成されている。また、図３の下部に示されるデータは、スキーヤーがリフトＬを利用したときの、すなわちリフトＬに改札機Ｇａを介して搭乗し、また、そのリフトＬを降りて改札機Ｇｂを介して出場したときに収集されたデータにより形成されるリフト乗降管理データベース（以下、「ＤＢ２」という。）である。上記ＤＢ１は、図４（ａ）に示されるように、スキーヤーに発行されたＩＣカードＣのＩＤ毎にリフトＬへの搭乗した時刻データ（改札機Ｇａを入場した時刻データ）が記録される形で形成され、また、上記ＤＢ２は、ＤＢ１の内容にさらにリフトＬを降りた時刻（改札機Ｇｂを出場した時刻データ）が付加された形で形成される。
【００１３】
図２中、３５は、モデムであり、後述するように、スキーヤーに異常が発生したときに、その旨を公衆電話回線３６を介して所定の場所（電話機）に報知するためのもので、上記中央処理演算装置３１に接続されている。また、図２中、３７は、ルータであり、後述するように、スキーヤーに異常が発生したときに、その旨をインターネット３８を介して所定の場所（パーソナルコンピュータ（パソコン）等）に報知するためのもので、上記中央結線装置３０に接続されている。
【００１４】
以下、図５のフローチャートを用いて制御動作について説明する。今、スキーヤーＳに対してＩＣカード発行装置３３から所定のＩＣカードＣが発行されたとする。このＩＣカードＣの発行は、スキー場のリフトＬの利用料金を含むスキー場の利用料金の支払い（前払い又は後払いのいずれでもよい。）を条件に発行され、この発行に当たっては、上述したように、個人情報登録装置３２及び携帯端末登録装置３４から所定の個人情報（図３のＤＢ１参照）が入力される。
【００１５】
上述のようにして発行されたＩＣカードＣ（このＩＣカードＣのＩＤを「００００２」とする。）を所持し、また、携帯端末機（図示せず）を所持したスキーヤーＳがリフト乗口に設けられた改札機Ｇａのアンテナ２０′にそのＩＣカードＣを軽くタッチすると、ドアが開かれてリフトＬへの搭乗が許可される。そして、このタッチによりＩＣカードＣのＩＤ（「００００２」）がＤＢ２に記録される（ステップ１００肯定。以下、ステップを「Ｓ」とする。）。
【００１６】
スキーヤーＳがリフトＬを降りてリフト降口に設けられている改札機Ｇｂのアンテナ２０′にＩＣカードＣを軽くタッチするとドアが開かれてスキー場のコースへ出ることが可能となり、このときのＩＣカードＣのタッチによりＩＣカードＣのＩＤ（「００００２」）がＤＢ２に記録され（Ｓ１０２肯定）、そのＩＣカードＣを所持しているスキーヤーＳが、無事、リフトを降りたことが確認される（Ｓ１０２否定、Ｓ１０４否定）。ところが、リフト乗口の改札機Ｇａの入場時刻からリフトＬの所要搭乗時間を所定時間越えてもリフト降口の改札機Ｇｂで出場が行われないときは（Ｓ１０４肯定）、リフトＬ上での何らかの事故が発生したことが予想されるので、このときは、スキーヤーＳの所持する携帯端末機に対して所定のメッセージが送出され、このメッセージに対してスキーヤーＳから所定の応答があれば（Ｓ１０８肯定）、その応答によりスキーヤーＳの無事を確認することができる。しかし、所定時間経過してもスキーヤーＳから何ら応答がないときは（Ｓ１０８否定）、スピーカ１ａを介しての安否確認の場内放送が行われるとともに、案内表示板２ａにも所定の安否確認の表示が行われ、さらに、スキーヤーＳの実家等の所定の場所や関係者に対して連絡が行われる（Ｓ１１０、Ｓ１１２）。
【００１７】
上述の安否確認は、スキーヤーＳがリフト降口の改札機Ｇｂを出場してから所定時間経過してもリフト乗口の改札機Ｇａによりデータが更新されないときも行われる（Ｓ１００肯定、Ｓ１０２肯定、Ｓ１１４肯定、Ｓ１０６、Ｓ１０８否定、Ｓ１１０、Ｓ１１２）。すなわち、スキーヤーＳのＤＢ２が所定時間経過しても更新されないことは、そのスキーヤーＳがコースアウトなどして事故が発生したことが考えられるからである。また、スキーヤーがＩＣカードＣを自宅に持ち帰ったときも、そのスキーヤーに連絡が可能なので、ＩＣカードＣの回収を確実に行うことも可能である。
【００１８】
なお、上述の例では、リフトＬのリフト乗口及びリフト降口の両方に改札機Ｇａ，Ｇｂを設置して、リフトＬ上における事故も監視できるようにしたが、リフトＬのリフト乗口のみに改札機を設置し、この改札機でデータの更新が所定時間行われなかったときにコースアウトなどの事故を検出するようにしてもよい。
【００１９】
さらに、上述の例では、スキーヤーにＩＣカードを発行するようにしたが、スキーヤーの所持する携帯電話機（ＰＨＳも含む）を本発明に係る情報記録媒体とし、その携帯電話機と改札機との間で交信してリフトＬへの搭乗と本発明に係る危険監視を行うようにしてもよい。また、上述の例では、情報記録媒体としてＩＣカードを示したが、接触式のＩＣカード又は磁気カードとしてもよい。しかし、上述のように非接触式としたときは、取扱いが容易等の特長がある。
【００２０】
【発明の効果】
本発明の請求項１に記載の危険監視システムは、スキー場のリフト乗口に設けられ、スキーヤーの所持する情報記録媒体に記憶されているデータを読取る乗口読取手段と、前記スキー場のリフト降口に設けられ、スキーヤーの所持する情報記録媒体に記憶されているデータを読取る降口読取手段と、前記スキー場のリフト乗口で読取られたスキーヤーを特定する所定のデータがそのスキー場のリフト降口で所定時間以内に読取られないときに、そのスキーヤーに異常が発生したと判定する判定手段とからなるので、スキーヤーの異常状態を効率よく検出して、スキーヤーに発生する危険状態を監視することができる。
本発明の請求項２に記載の危険監視システムは、スキー場のリフト乗口に設けられ、スキーヤーの所持する情報記録媒体に記憶されているデータを読取る乗口読取手段と、前記スキー場のリフト乗口で読取られたスキーヤーを特定する所定のデータが所定時間以内に再び読取られないときに、そのスキーヤーに異常が発生したと判定する判定手段とからなるので、スキーヤーの異常状態を効率よく検出して、スキーヤーに発生する危険状態を監視することができる。
本発明の請求項３に記載の危険監視システムは、異常が発生したと判定されたときに、その旨を所定の場所又は所定の者に報知する報知手段を設けたので、効率よくスキーヤーの安否を確認することができる。
本発明の請求項４に記載の危険監視システムは、情報記録媒体をＩＣカードとしたので、簡単に実施することができる。
【図面の簡単な説明】
【図１】本発明の一実施の携帯に係る危険監視システムの概略構成図である。
【図２】本発明の一実施の携帯に係る危険監視システムのブロック図である。
【図３】データベースの一例である。
【図４】データベースの一例である。
【図５】制御動作を示すフローチャートである。
【符号の説明】
Ｌ  リフト
１ａ，１ｂ  スピーカ
２ａ，２ｂ  案内表示板
Ｓ  スキーヤー
Ｃ  非接触式ＩＣカード（ＩＣカード，情報記録媒体）
２０ａ，２０ｂ  無線送受信部
２１ａ，２１ｂ  音声放送部
２２ａ，２２ｂ  案内表示部
２３ａ，２３ｂ  ＩＣカードＲ／Ｗ
２４ａ，２４ｂ  結線装置
３０  中央結線装置
３１  中央処理演算装置
３２  個人情報登録装置
３３  ＩＣカード発行装置
３４  携帯端末登録装置
【図１】
2004295714.tif 000003
【図２】
2004295714.tif 000004
【図３】
2004295714.tif 000005
【図４】
2004295714.tif 000006
【図５】
2004295714.tif 000007